(57)【特許請求の範囲】
【請求項１】
ベース部と、前記ベース部の外縁部に設けられた脚部と、前記ベース部に対して振動可能に設けられ使用者が搭乗可能な振動台と、前記振動台に搭乗した使用者が把持可能な把持部材を接続可能なアーム部材と、を備えた振動運動器具であって、
前記脚部には、前記アーム部材が出没自在に設けられており、
前記アーム部材には、前記把持部材の端部が係止される係止孔が設けられていることを特徴とする振動運動器具。
【請求項２】
前記アーム部材は、当該アーム部材の少なくとも一部が、前記振動台の上方から視て前記振動台の外縁部よりも外側に突出する位置に出没可能であることを特徴とする請求項１に記載の振動運動器具。
【請求項３】
前記アーム部材は、先端部に屈曲部を有し、当該屈曲部には、前記係止孔が形成されていることを特徴とする請求項１または請求項２に記載の振動運動器具。
【請求項４】
前記脚部は、円弧状の外周部を備えており、
前記アーム部材は、前記外周部に沿う円弧状を呈することを特徴とする請求項１から請求項３のいずれか１項に記載の振動運動器具。
【請求項５】
前記脚部には、前記アーム部材を位置決めするための位置決め手段が設けられていることを特徴とする請求項１から請求項４のいずれか１項に記載の振動運動器具。
【請求項６】
前記アーム部材は、緩衝部材を介して前記脚部に出没可能に支持されていることを特徴とする請求項１から請求項５のいずれか１項に記載の振動運動器具。
【請求項７】
前記脚部は、当該脚部の下面よりも下方へ突出する防振部材を備えており、
前記アーム部材は、前記脚部の上方から視て前記下面に隠れるように収容されることを特徴とする請求項１から請求項６のいずれか１項に記載の振動運動器具。
【請求項８】
前記アーム部材は、前記脚部に一端が出没可能に支持される第１アーム部材と、当該第１アーム部材の他端に出没可能に支持される第２アーム部材とを備えており、
前記第２アーム部材の先端部に前記係止孔が設けられていることを特徴とする請求項１から請求項７のいずれか１項に記載の振動運動器具。
【請求項９】
前記把持部材は、前記係止孔に係止される係止部と、前記係止部に一端が取り付けられた伸縮自在なロープと、前記ロープの他端に設けられた把持部と、を備えていることを特徴とする請求項１から請求項８のいずれか１項に記載の振動運動器具。
【発明の詳細な説明】
【技術分野】
【０００１】
本発明は、振動運動器具に関する。
【背景技術】
【０００２】
振動運動器具は、身体に振動を加えることによって健康や美容の増進等をはかるものである。従来の振動運動器具は、例えば、特許文献１のようなものがある。
振動運動器具は、一般に、床上に置くベース部と、ベース部に対して振動可能に設けられ使用者が搭乗可能な振動台と、を備えている。振動台で発生する細かな振動は、使用者の筋肉を刺激し、搭乗台への乗る場所や身体の角度を変えることで、使用者の身体の様々な部分に作用する。
【０００３】
近年、振動運動器具は、多彩なポージングやエクササイズを振動台の上で実現するために、使用者が把持可能な把持部材をベース部に取り付け可能となっている。把持部材は、例えば伸縮自在な合成ゴム製のロープを含んで構成されている。このような把持部材を利用することで、使用者は、ロープによるテンションを加えたエクササイズや多彩なポージングを実行できる。
【先行技術文献】
【特許文献】
【０００４】
【特許文献１】特開２００８−２９７１２号公報
【発明の概要】
【発明が解決しようとする課題】
【０００５】
従来の振動運動器具では、把持部材を利用したエクササイズ時に、よりダイナミックな姿勢を取るために、ベース部からより離れた位置で把持部材を接続したいという要望があった。
【０００６】
本発明は、前記した問題を解決し、より多彩なポージングやエクササイズを実現できる振動運動器具の提供を課題とする。
【課題を解決するための手段】
【０００７】
前記課題を解決するため、本発明の振動運動器具は、ベース部と、前記ベース部の外縁部に設けられた脚部と、を備えている。また、振動運動器具は、前記ベース部に対して振動可能に設けられ使用者が搭乗可能な振動台と、前記振動台に搭乗した使用者が把持可能な把持部材を接続可能なアーム部材と、を備えている。前記脚部には、前記アーム部材が出没自在に設けられている。前記アーム部材には、前記把持部材の端部が係止される係止孔が設けられている。
【０００８】
本発明の振動運動器具では、把持部材を利用してエクササイズを行う場合に、ベース部の脚部の前方等にアーム部材を突出させることができるので、ベース部からより離れた位置にアーム部材を位置させて把持部材を利用できる。これにより、より多彩なポージングやエクササイズを実現できる。また、本発明の振動運動器具は、使用者の体表に近い表層筋や骨に近い深層筋（インナーマッスル）を効果的に刺激できる。また、使用者は、振動運動器具の振動によって身体の血行を促進できる。
また、アーム部材は、好みの突出位置に位置させた上で把持部材を利用することも可能である。したがって、より多彩なポージングやエクササイズを実現できる。
また、把持部材を使用しないときに、アーム部材を脚部に収容できる。このため、振動運動器具の外観に優れるとともに、アーム部材に物が引っ掛かったり、つまずいたりし難く、振動運動器具の使い勝手を向上できる。
【０００９】
また、前記アーム部材は、当該アーム部材の少なくとも一部が、前記振動台の上方から視て前記振動台の外縁部より外側に突出する位置に出没可能であることが好ましい。この構成では、把持部材の振動台への干渉を防止できる。したがって、使用者は、振動運動器具を使用して、より多彩なポージングやエクササイズを実現できる。
【００１０】
また、前記アーム部材は、先端部に屈曲部を有し、当該屈曲部には、前記係止孔が形成されていることが好ましい。この構成では、屈曲部の折れ曲がり部分に亘って長孔状に係止孔を形成できるので、把持部材の端部を係止し易い。また、把持部材の端部にカラビナ等の金属リングを用いた場合には、係止作業がより行い易い。
【００１１】
また、前記脚部は、円弧状の外周部を備えており、前記アーム部材は、前記外周部に沿う円弧状を呈することが好ましい。この構成では、脚部の外周部に沿ってアーム部材を収容することができるので、アーム部材の内側スペースとなる、脚部の中央部のスペースを有効に利用して脚部に防振部材等を配置できる。これにより、振動運動器具をコンパクトにできる。
【００１２】
また、前記脚部には、前記アーム部材を位置決めするための位置決め手段が設けられていることが好ましい。この構成では、突出位置及び収容位置に容易にアーム部材を位置決めできるので、アーム部材の突出作業及び収容作業が行い易い。
【００１３】
また、前記アーム部材は、緩衝部材を介して前記脚部に出没可能に支持されていることが好ましい。この構成では、ベース部から脚部を通じてアーム部材に伝わる振動を好適に抑制できる。
【００１４】
また、前記脚部が、当該脚部の下面よりも下方へ突出する防振部材を備えている場合には、前記アーム部材は、前記振動台の上方から視て前記下面に隠れるように収容されていることが好ましい。この構成では、脚部の下面と床面との間に形成されるスペースを利用してアーム部材を収容できる。したがって、アーム部材の収容構造を簡単な構成で実現できる。
【００１５】
また、前記アーム部材は、前記脚部に一端が出没可能に支持される第１アーム部材と、当該第１アーム部材の他端に出没可能に支持される第２アーム部材とを備えて構成するのが好ましい。この場合には、前記第２アーム部材の先端部に前記係止孔が設けられていることが好ましい。この構成では、ベース部の脚部から側方に第１アーム部材及びこれに連続する第２アーム部材を突出させることができるので、ベース部からより離れた位置にアーム部材を突出させることができる。これにより、より多彩なポージングやエクササイズを実現できる。
【００１６】
また、前記把持部材は、前記係止孔に係止される係止部と、前記係止部に一端が取り付けられた伸縮自在なロープと、前記ロープの他端に設けられた把持部と、を備えていることが好ましい。この構成では、ロープの伸縮を利用して、より多彩なポージングやエクササイズを実現できる。
【発明の効果】
【００１７】
本発明の振動運動器具では、より多彩なポージングやエクササイズを実現できる。
【図面の簡単な説明】
【００１８】
【図１】本発明の第１実施形態に係る振動運動器具を示す前方上方から視た斜視図である。
【図２】本発明の第１実施形態に係る振動運動器具を示す下面図である。
【図３】本発明の第１実施形態に係る振動運動器具の脚部からアーム部材を突出させた状態を示す前方上方から視た斜視図である。
【図４】本発明の第１実施形態に係る振動運動器具の脚部からアーム部材を突出させた状態を示す下面図である。
【図５】本発明の第１実施形態に係る振動運動器具の脚部本体を上面側から視た斜視図である。
【図６】本発明の第１実施形態に係る振動運動器具の脚部本体を下面側から視た斜視図である。
【図７】本発明の第１実施形態に係る振動運動器具のアーム部材の取付構造を上面側から視た部分断面斜視図である。
【図８】本発明の第１実施形態に係る振動運動器具のアーム部材の取付構造を下面側から視た部分断面斜視図である。
【図９】本発明の第１実施形態に係る振動運動器具のアーム部材を示す図であり、（ａ）はアーム部材を振動運動器具の脚部に収容した状態を示す下面図、（ｂ）はアーム部材を振動運動器具の脚部から突出させた状態を示す下面図である。
【図１０】本発明の第１実施形態に係る振動運動器具の把持部材の使用態様を示す模式斜視図である。
【図１１】（ａ）〜（ｃ）は本発明の第１実施形態に係る振動運動器具の把持部材を取り付ける際の様子を示した説明図である。
【図１２】本発明の第２実施形態に係る振動運動器具のアーム部材を示す図であり、（ａ）はアーム部材を脚部に収容した状態を示す下面図、（ｂ）はアーム部材を脚部に収容した状態を示す側面図、（ｃ）はアーム部材を脚部から引き出した状態を示す下面図である。
【図１３】本発明の第２実施形態に係る振動運動器具のアーム部材を最大に引き出した状態を示す下面図である。
【発明を実施するための形態】
【００１９】
本発明の実施形態について、適宜図面を参照して詳細に説明する。各実施形態において、同様の部分には同一の符号を付し重複する説明は省略する。
以下の説明において、前後左右上下の方向は、実施形態の振動運動器具を説明するために便宜的に設定したものであり、本発明の振動運動器具の構成を限定するものではない。なお、以下の各実施形態では、前側の左右の脚部に対してアーム部材を設けたものを例にして説明する。
【００２０】
（第１実施形態）
振動運動器具１は、図１に示すように、床面Ｇ上に置いて使用するものであり、ベース部１０と、ベース部１０の下部に設けられた脚部２０と、ベース部１０の上部に設けられ使用者Ｈが搭乗可能な振動台３０（図１０参照）と、使用者Ｈが把持可能な把持部材４０とを備えている。振動運動器具１は、振動台３０の上に搭乗する使用者Ｈの多彩なポージングやエクササイズを実現することが可能である（図１０参照）。
【００２１】
ベース部１０は、図２に示すように、下面視で略矩形状を呈している。ベース部１０は、内部に枠状の図示しないフレームを備えており、このフレームの周りを覆うようにカバー部材１０ａが装着されている。ベース部１０の内部には、振動台３０を振動させるための図示しない駆動手段が備わる。駆動手段は、駆動モータや、駆動モータによって駆動される振動発生装置等からなる。振動発生装置で発生した振動は、図示しない伝達部材等を介して振動台３０に伝達される。
【００２２】
ベース部１０の外縁部には、脚部２０が設けられている。本実施形態では、カバー部材１０ａの４つの角部に、下面視で円形状の脚部２０が取り付けられている。４つの脚部２０のうち、前側の左右の脚部２０，２０には、図２，図３に示すように、回動により出没可能なアーム部材５０，５０が設けられている。脚部２０及びアーム部材５０の詳細は後記する。
【００２３】
カバー部材１０ａの左側下面には、図２に示すように、振動運動器具１を移動させる際に使用する移動用ローラ１３が設けられている。
なお、カバー部材１０ａの側部には、図示しない電源コードの差込口や主電源スイッチ、接続ポート等が設けられている。
【００２４】
振動台３０は、図示しない駆動手段によってベース部１０に対して上下方向に振動する。振動台３０は、図示しないフレームによって中央下部がベース部１０に支持され、左右両側部分が上下方向に移動可能に支持されている。振動台３０は、前記した駆動手段（振動発生装置）により左右両側部分が上下方向に交互に振動するように構成されている。
振動台３０は、下面視で略楕円形状を呈している。振動台３０は、図２に示すように、外周縁部の全体がベース部１０の外縁部よりも側方に突出している。つまり、振動台３０は、ベース部１０よりも大きく形成されており、上面視でベース部１０の全体を覆っている。これにより、振動台３０上には、十分な足載せ領域が確保されている。
なお、振動台３０の上面には、図示しない滑り止めを有する。滑り止めは、例えば、摩擦係数が高いゴム等の材料で、滑り難いように形成された複数のリブで構成されている。
【００２５】
振動台３０の前部上面には、図１に示すように、ディスプレイ３１を備えた操作パネル３２が備わる。操作パネル３２には、電源ボタンの他、モードボタン、スピード調節ボタン、音楽再生停止ボタン等が備わる。ディスプレイ３１は、操作パネル３２の各種ボタンの操作に基づく設定状態や作動状態等を表示する複数のディスプレイを含む。なお、振動運動器具１は、操作パネル３２の操作に代えて、手指で把持するリモコンや、手首等に装着可能なリモコン等を用いることによっても、各種の設定を行うことができる。また、リモコンは、振動運動器具１と通信可能な携帯電話やスマートフォン等の携帯端末を用いてもよい。
【００２６】
振動台３０の下面の右側部及び左側部には、図２に示すように、凹状の手掛け部３３が形成されている。振動台３０の右側部の手掛け部３３は、ベース部１０の移動用ローラ１３の反対側に位置している。言い換えると、移動用ローラ１３は、振動台３０の左側部の手掛け部３３と上下方向に離間する位置に配置してある。使用者Ｈは、振動運動器具１を移動させる際に、手掛け部３３に手指を掛けて床面Ｇ上から振動運動器具１を引き起こしつつ、床面Ｇ上を移動用ローラ１３で転がして移動方向に引っ張る。これにより、使用者Ｈは、振動運動器具１を容易に移動できる。なお、移動用ローラ１３は、振動台３０の左側部でなく、振動台３０の右側部の手掛け部３３と上下方向に離間する位置に配置してもよい。
【００２７】
次に脚部２０について説明する。脚部２０は、ベース部１０（カバー部材１０ａ）の４つの角部にそれぞれ取り付けられており、図２に示すように、角部から側方に一部が突出するように配置されている。脚部２０は、脚部本体２１と、脚部本体２１の下面中央に取り付けられた防振部材２２と、を備えている。そして、本実施形態の振動運動器具１は、図２〜図４に示すように、４つの脚部２０のうち、前側の左右の脚部２０，２０に、アーム部材５０，５０が取り付けられている。以下では、このアーム部材５０の取り付けられた前側の左側の脚部２０を例にとって詳細に説明する。
【００２８】
脚部本体２１は、図５，図６に示すように、略有底円筒状を呈している。脚部本体２１は、合成樹脂材によって一体に形成されている。脚部本体２１は、円筒状の外周壁（円弧状の外周部）２１ａと、外周壁２１ａに連続する第１底壁２１ｂ及び第２底壁２１ｃと、第１底壁２１ｂと第２底壁２１ｃとを繋ぐ中間側壁２１ｄと、を備えている。
【００２９】
第１底壁２１ｂは、図５に示すように、脚部本体２１の中心側から周縁側へ向かうにつれて広がる、平面視で概ね扇状の形状を呈している。第１底壁２１ｂには、防振部材２２（図２参照、以下同じ）を取り付けるための取付孔２１１が形成されている。取付孔２１１の周りには、放射状のリブ２１２が形成されている。一方、図６に示すように、第１底壁２１ｂの下面には、取付孔２１１を囲む環状のリブ２１１ａが突設されている。環状のリブ２１１ａは、防振部材２２の上端部を位置決めする。防振部材２２は、この取付孔２１１を通じてベース部１０のフレームに固定される図示しない取付ボルトによって第１底壁２１ｂの下面側に固定される。
また、第１底壁２１ｂには、図５に示すように、有底の円形穴２１３が形成されている。円形穴２１３には、ベース部１０（図２参照）の角部の下面に設けられた図示しない位置決め突起が装着される。
【００３０】
このような第１底壁２１ｂ上には、第１底壁２１ｂとこれに連続して立ち上がる中間側壁２１ｄとによって囲まれる、平面視で概ね扇状の装着領域２１Ａが形成される。この装着領域２１Ａは、カバー部材１０ａ（図２参照）の角部に対応する形状を有している。第１底壁２１ｂと中間側壁２１ｄは、カバー部材１０ａの角部に当接する。
【００３１】
第２底壁２１ｃは、中間側壁２１ｄに連続して形成されており、第１底壁２１ｂよりも一段高くなっている。第２底壁２１ｃは、平面視で略Ｌ字形状を呈している。第２底壁２１ｃの両端部分には、２つの取付ボス部２１４が上方へ向けて突設されている。第２底壁２１ｃの下面には、図６に示すように、各取付ボス部２１４に対応して、各取付ボス部２１４よりも大径とされたボス部２１４ａが突設されている。各取付ボス部２１４には、図示しない固定ねじが螺合される。脚部本体２１は、前記した防振部材２２用の固定ボルト及び各取付ボス部２１４に螺合する固定ねじによって、カバー部材１０ａに固定される。
【００３２】
また、第２底壁２１ｃには、図５に示すように、ねじ孔２１６が形成されている。第２底壁２１ｃの下面には、図６に示すように、各ねじ孔２１６に対応するボス部２１６ａが突設されている。各ボス部２１６ａには、図示しない固定ねじが螺合される。これらの固定ねじの螺合により、脚部カバー２１５（図１参照）が脚部本体２１に固定されている。
さらに、第２底壁２１ｃには、図５に示すように、断面六角形のボルト挿通孔２１７が形成されている。第２底壁２１ｃの下面には、図６に示すように、ボルト挿通孔２１７に対応するボス部２１７ａが突設されている。
【００３３】
また、第２底壁２１ｃの下面には、アーム部材５０を支持する補強部材として複数の板状の補強リブ２２０〜２２５が突設されている。このうち、補強リブ２２０は、脚部本体２１の外周壁２１ａの内面からボス部２１７ａに交差して中間側壁２１ｄの内面に至るリブである。また、補強リブ２２１，２２２は、補強リブ２２０と間隔を空けて平行に形成されており、外周壁２１ａの内面から中間側壁２１ｄの内面に至るリブである。
【００３４】
補強リブ２２２には、図６に示すように、下方へ向けて突出する第１当接部２３０が形成されている。第１当接部２３０には、アーム部材５０を脚部本体２１の下側に収容した際に、アーム部材５０の後記する段差部５１ａが当接する。つまり、第１当接部２３０は、収容時におけるアーム部材５０の位置決め手段として機能する。また、第１当接部２３０は、アーム部材５０の回動角度を規制する規制手段として機能する。
【００３５】
また、補強リブ２２３は、補強リブ２２０〜２２２に交差するとともに、外周壁２１ａの内面からボス部２１６ａ，ボス部２１７ａ及びボス部２１６ａに交差して反対側の外周壁２１ａの内面に至るリブである。さらに、補強リブ２２４は、外周壁２１ａの内面からボス部２１６ａに交差して中間側壁２１ｄの内面に至るリブである。
【００３６】
一方、補強リブ２２１と補強リブ２２３とが交差する部分には、下方へ向けて突出する第２当接部（当接壁）２３１が形成されている。第２当接部２３１には、アーム部材５０を脚部本体２１の前側に突出させた際に、アーム部材５０の後記する段差部５１ａが当接する。つまり、第２当接部２３１は、突出時（使用時）におけるアーム部材５０の位置決め手段として機能する。また、第２当接部２３１は、アーム部材５０の回動角度を規制する規制手段として機能する。
【００３７】
また、補強リブ２２５は、補強リブ２２３の一面からボス部２１４ａに交差して中間側壁２１ｄの内面に至るリブである。
【００３８】
本実施形態では、ボルト挿通孔２１７に対応するボス部２１７ａの周りに補強リブ２２０〜２２３が集中している。ボルト挿通孔２１７には、図７，図８に示すように、支持ボルト２１８が挿入されている。支持ボルト２１８の頭部２１８ａは、ボルト挿通孔２１７の底部２１７ｂに当接して回動不能に位置決めされる。支持ボルト２１８の先端部は、ボス部２１７ａの端部よりも下方に突出しており、アーム部材５０の一端部５２を支持する。支持ボルト２１８の先端部には、ワッシャ２１８ｂを介してナット２１８ｃが螺合されている。これにより、アーム部材５０は、支持ボルト２１８に対して回動可能かつ脱落不能に支持されている。
【００３９】
また、図７に示すように、支持ボルト２１８には、リング状の緩衝部材２１９が介設されている。緩衝部材２１９は、例えば、ゴムやシリコン等の弾性を有する材料から形成されている。緩衝部材２１９は、支持ボルト２１８が挿通されるリング状の形状であり、例えば、ボス部２１７ａの先端下面とアーム部材５０の一端部５２の上面との間に配置されている。緩衝部材２１９は、ボス部２１７ａの先端下面とアーム部材５０の一端部５２の上面との衝突を緩和し、衝突による振動や衝撃音を抑制する。また、緩衝部材２１９は、ワッシャ２１８ｂとともに配置してもよく、また、ワッシャ２１８ｂに代えて配置してもよい。
【００４０】
次に、アーム部材５０について詳細に説明する。アーム部材５０は、図２に示すように、脚部本体２１の下側に略全体が隠れるように収容される位置と、図３，図４に示すように、振動運動器具１から突出する位置（例えば、前側）との間で位置を回動可能に設けられた部材である。言い換えると、アーム部材５０は、脚部本体２１の下側に略全体が隠れる収容位置と、振動運動器具１から突出する突出位置とに出没可能である。アーム部材５０は、一端部５２に挿通される支持ボルト２１８（図７，図８参照）を中心として回動可能である。アーム部材５０は、把持部材４０（図１０参照）を支持する支持部材として機能する。
【００４１】
アーム部材５０は、例えば、金属製の板状の部材からなる。アーム部材５０は、図９（ａ）に示すように、下面視で脚部本体２１の外周壁２１ａに沿う円弧状を呈している。アーム部材５０は、円弧状に延在する胴部５１と、胴部５１の一端に設けられた一端部５２と、胴部５１の他端に設けられた他端部５３と、を備えている。胴部５１は、図９（ａ）に示すように、脚部本体２１の外周壁２１ａの外径よりも小径とされた外縁部５１ｂを有している。
【００４２】
一端部５２は、図７に示すように、段差部５１ａを介して胴部５１よりも一段上側に位置しており、支持ボルト２１８の先端部が挿通される挿通孔５２ｅを備えている。一端部５２は、ボス部２１７ａの下面に対向する平らな面を備えており、その上面は、胴部５１の上面と平行である。
段差部５１ａは、図９（ａ）に示すように、アーム部材５０が脚部本体２１の下側に略全体が隠れるように収容される位置で、補強リブ２２２の第１当接部２３０に当接する。言い換えると、アーム部材５０は、第１当接部２３０に当接して回動角度を規制されて収容状態になる。
【００４３】
他端部５３は、図８，図９（ａ）に示すように、胴部５１に対して脚部本体２１の径方向外側に向けて略直角に延在している。他端部５３の先端部は、図８に示すように、上方へ向けて略直角に折れ曲がる屈曲部５３ａとなっている。屈曲部５３ａの少なくとも上方へ折れ曲がる部分は、脚部本体２１の下側にアーム部材５０を収容した状態で、脚部本体２１の外周壁２１ａに沿うように位置し、アーム部材５０を手指で回動する際の摘み部として機能する。屈曲部５３ａには、把持部材４０の係止孔として機能する長孔５４が形成されている。長孔５４は、屈曲部５３ａの折れ曲がり部分に亘るように形成されており、単なる円孔に比べて下方から側方に大きく開口している。つまり、アーム部材５０の他端部５３（屈曲部５３ａ）は、アーム部材５０を回動する際のハンドルとして機能し、また、把持部材４０を接続する接続部として機能する。
【００４４】
以上のようなアーム部材５０は、図２，図９（ａ）に示すように、使用しない際には、脚部本体２１の下側に回動させて略全体が隠れるように収容できる。この場合、図２に示すように、アーム部材５０の他端部５３は、ベース部１０及び振動台３０の下方に位置するので、脚部２０の上方から視て脚部２０の前記下面に隠れるように収容される。言い換えると、振動運動器具１は、アーム部材５０を収容した状態で、アーム部材５０が上方から見え難くい状態になる。つまり、アーム部材５０は、他の物に当たったり引っ掛かったりし難い状態になる。
また、使用者Ｈは、振動運動器具１に把持部材４０を取り付けて使用する際に、脚部本体２１の前側にアーム部材５０を回動させて突出させる。このようにすると、図３，図４，図９（ｂ）に示すように、アーム部材５０の他端部５３が、振動台３０の上方から見て前方に突出するので把持部材４０を装着し易い。また、使用者Ｈは、図１０に示すように、振動運動器具１を使用中に様々なポージングを行う場合にも把持部材４０の後記するロープ４２が振動台３０に接触し難い。このため、使用者Ｈは、振動運動器具１を使用して多彩なポージングやエクササイズを実現できる。
【００４５】
把持部材４０は、図１０に示すように、係止部４１と、係止部４１に一端が取り付けられた伸縮自在なロープ４２と、ロープ４２の他端に取り付けられた把持部４３と、を備えている。
【００４６】
係止部４１は、図１１（ａ）に示すように、係止作業の自由度が高く、しかも外れ難いロック式のカラビナからなる。なお、係止部４１としては、リング状の部材等、種々の接続部材を採用することができる。また、係止部４１は必ずしも必要ではなく、ロープ４２を直接係止するようにしてもよい。
【００４７】
ロープ４２は、例えば、合成ゴム製である。このため、ロープ４２は延在方向に伸縮自在である。ロープ４２の一端は、Ｕ字状に折り返されてカラビナ４１に取り付けられている。なお、ロープ４２はポージング等に適切な伸縮性を有するものであれば、他の材料からなるものを採用できる。
把持部４３は、使用者Ｈが手指で掴む部分であり、本実施形態では、ロープ４２の他端を環状に折り返して把持部４３を構成している。なお、把持部４３は、別部材のハンドル等をロープ４２と接続しても構成できる。
【００４８】
把持部材４０を使用する際には、まず、脚部２０に収容されているアーム部材５０の他端部５３を手指で摘み、これを前側に回動させることで、アーム部材５０を脚部２０の前側に突出させる。このとき、アーム部材５０は、図９（ｂ）に示すように、補強リブ２２１の第２当接部２３１に当接する。言い換えると、アーム部材５０は、第２当接部２３１に当接して回動角度を規制されて突出状態になる。
【００４９】
その後、図１１（ａ）に示すように、把持部材４０の係止部４１をアーム部材５０の他端部５３に近づける。そして、図１１（ｂ）に示すように、係止部４１のゲート４１ａを開いて、他端部５３（屈曲部５３ａ）の長孔５４にノーズ４１ｂを差し込む。長孔５４は、先端下面から先端側面に亘って開口しているので、ノーズ４１ｂを差し込み易い。
【００５０】
その後、ゲート４１ａがアーム部材５０の他端部５３を乗り越えると、図１１（ｃ）に示すように、ゲート４１ａがノーズ４１ｂに当接して係止部４１を閉じる。これにより、使用者Ｈは、把持部材４０の係止部４１とアーム部材５０の他端部５３とを容易に係止できる。
【００５１】
以上説明した本実施形態の振動運動器具１では、把持部材４０を利用してエクササイズを行う場合に、ベース部１０の脚部２０の前側にアーム部材５０を回動させて突出させることができる。したがって、本実施形態の振動運動器具１は、ベース部１０や振動台３０からより離れた位置にアーム部材５０を位置させて把持部材４０を利用できる。これにより、本実施形態の振動運動器具１では、より多彩なポージングやエクササイズを実現できる。また、本実施形態の振動運動器具１は、使用者Ｈの体表に近い表層筋や骨に近い深層筋（インナーマッスル）を効果的に刺激できる。また、使用者Ｈは、振動運動器具１の振動によって身体の血行を促進できる。
【００５２】
また、アーム部材５０は、回動によって突出するので、好みの回動位置にアーム部材５０を位置させて把持部材４０を利用することも可能である。したがって、より多彩なポージングやエクササイズを実現できる。なお、アーム部材５０が回動する途中の複数の位置でアーム部材５０がロックされるように構成してもよい。この場合、アーム部材５０の回動角度をロックする位置決め手段（ロック機構）としては、例えば、アーム部材５０の回動する軌道上にアーム部材５０と当接する突起等を設けることが挙げられる。このようなロック機構により、アーム部材５０の回動角度をロックできる。このように構成することで、より多彩なポージングやエクササイズを実現できる。
【００５３】
また、本実施形態の振動運動器具１のアーム部材５０は、把持部材４０を使用しないときに、アーム部材５０を脚部２０に収容できる。このため、本実施形態の振動運動器具１は、外観の意匠性に優れるとともに、振動運動器具１の移動や運搬のときにアーム部材５０に物が引っ掛かったり、つまずいたりし難く、振動運動器具１の使い勝手を向上できる。
【００５４】
また、アーム部材５０は、振動台３０の上方から視て振動台３０の外縁部よりも外側に突出する位置に回動可能であるので、把持部材４０（主としてロープ４２）の振動台３０への干渉を防止できる。したがって、使用者Ｈは、振動運動器具１を使用して、より多彩なポージングやエクササイズを実現できる。なお、アーム部材５０は、少なくとも一部（他端部５３）が振動台３０の外縁部よりも外側に突出するものであってもよい。
【００５５】
また、アーム部材５０は、先端部に屈曲部５３ａを有し、屈曲部５３ａには、折れ曲がり部分に亘って長孔５４が形成されている。このため、使用者Ｈは、把持部材４０の係止部４１とアーム部材５０の他端部５３とを係止し易い。
【００５６】
また、アーム部材５０は、脚部２０の外周壁２１ａに沿って収容できるので、脚部２０の下面中央部のスペースを有効に利用して防振部材２２を配置でき、振動運動器具１をコンパクトにできる。
【００５７】
また、アーム部材５０は、脚部本体２１の第１当接部２３０、第２当接部２３１によって突出位置及び収容位置に容易にアーム部材５０を位置決めできる。したがって、アーム部材５０の回動作業が行い易い。
【００５８】
また、アーム部材５０は、緩衝部材２１９を介して脚部本体２１に回動可能に支持されているので、ベース部１０から脚部２０を通じてアーム部材５０に伝わる振動を好適に抑制できる。
【００５９】
また、アーム部材５０は、振動台３０の上方から視て脚部２０の下面に隠れるように収容されるので、防振部材２２により形成された脚部本体２１の下面と床面Ｇとの間に形成されるスペースを利用して収容できる。したがって、アーム部材５０の収容構造を簡単な構成で実現できる。
【００６０】
また、把持部材４０は、長孔５４に係止される係止部４１と、伸縮自在なロープ４２と、把持部４３と、を備えている。このため、使用者Ｈは、振動運動器具１を使用する際にロープ４２の伸縮を利用して、より多彩なポージングやエクササイズを実現できる。
【００６１】
（第２実施形態）
図１２，図１３を参照して第２実施形態に係る振動運動器具について説明する。本実施形態が第１実施形態と異なるところは、アーム部材１５０を第１アーム部材１５０Ａ及び第２アーム部材１５０Ｂの２つの部材から構成した点にある。
【００６２】
第１アーム部材１５０Ａ及び第２アーム部材１５０Ｂは、図１２（ａ）（ｂ）に示すように、脚部本体２１の下側において上下に重ねて収容されている。第１アーム部材１５０Ａ及び第２アーム部材１５０Ｂは、図１２（ｂ）に示すように、連結ボルト１５６及び連結ボルト１５６に螺合されるナット１５７によって他端部１５３Ａ，１５３Ｂ同士が回動可能に連結されている。第１アーム部材１５０Ａの他端部１５３Ａ及び第２アーム部材１５０Ｂの他端部１５３Ｂには、連結ボルト１５６が挿通される連結ボルト孔１５５Ａ，１５５Ｂが形成されている。第１アーム部材１５０Ａの一端部１５２Ａは、支持ボルト２１８及び支持ボルト２１８に螺合されるナット２１８ｃにより、回動可能かつ脱落不能に脚部本体２１に支持されている。
【００６３】
第２アーム部材１５０Ｂの先端部である一端部１５２Ｂには、係止部としての長孔１５４が形成されている。
【００６４】
以上のようなアーム部材１５０は、図１２（ａ）に示すように、使用しない際には、脚部２０の脚部本体２１の下側に回動させてアーム部材１５０の略全体を脚部２０の下方に隠れるように収容できる。この場合、第２アーム部材１５０Ｂの一端部１５２Ｂは、図示しないベース部１０及び振動台３０の下方に位置するので見え難く、他の物に当たったり引っ掛かったりするようなこともない。
【００６５】
また、使用時には、脚部本体２１の前側にアーム部材１５０を回動させて突出させる（図１２（ｃ），図１３参照）。このようにすると、第２アーム部材１５０Ｂの一端部１５２Ｂが、図示しない振動台３０の上方から見て振動台３０よりも前方に突出するので図示しない把持部材４０（係止部４１）を装着し易い。また、使用中に使用者Ｈが様々なポージングを行った場合にも図示しない把持部材４０（主としてロープ４２）が振動台３０に接触し難い。
【００６６】
本実施形態では、脚部２０から前方に第１アーム部材１５０Ａ及びこれに連続する第２アーム部材１５０Ｂを突出させることができるので、第１実施形態のアーム部材５０と比較して、ベース部１０からより離れた位置にアーム部材１５０を突出させることができる。これにより、使用者Ｈは、振動運動器具１を使用して、よりダイナミックで多彩なポージングやエクササイズを実現できる。
【００６７】
以上、本発明の実施形態について説明したが、本発明は前記実施形態に限定されることなく、その趣旨を逸脱しない範囲で適宜に変更が可能である。
例えば、アーム部材５０（１５０）は、円弧状のものに限られることはなく、脚部２０の脚部本体２１に隠れるものであれば、種々の形状のものを採用することができる。また、アーム部材５０（１５０）は、脚部２０に出没自在であればよい。例えば、アーム部材５０（１５０）は、直線状の形状に形成して脚部２０からスライドして出没してもよい。また、アーム部材５０（１５０）を、スライドさせて出没させる場合は、適宜に位置決め手段を設けてスライド状態を更に安定させてもよい。
【００６８】
また、アーム部材５０（１５０）は、脚部２０の脚部本体２１の下側に収容されて隠れるものに限られることはなく、脚部２０の脚部本体２１の外周壁２１ａから突出して外周壁２１ａ内に隠れるように構成してもよい。
【００６９】
また、長孔５４（１５４）の形成位置は、アーム部材５０（１５０）の屈曲部５３ａ（１５３ａ）に限られるものではなく、アーム部材５０（１５０）の胴部５１（１５１Ａ，１５１Ｂ）に設けてもよい。また、長孔５４（１５４）は、任意の複数の箇所に設けてもよい。
【００７０】
また、アーム部材５０（１５０）は、脚部２０の左右側方に突出するように構成してもよい。
また、後側の左右脚部２０に対してアーム部材５０（１５０）をそれぞれ設けてもよい。また、アーム部材５０（１５０）は、前側の脚部２０と後側の脚部２０との両方に設けてもよい。
【００７１】
また、アーム部材５０（１５０）において、屈曲部５３ａ（１５３ａ）は、上方へ向けて折れ曲がるものを示したが、これに限られることはなく、下方に折れ曲がるように構成されたものや、脚部本体２１の外周壁２１ａの周方向に折れ曲がるように構成されたものであってもよい。
また、アーム部材５０（１５０）において、屈曲部５３ａ（１５３ａ）は、折れ曲がり角度を任意に設定できる。
また、アーム部材５０（１５０）において、段差部５１ａ（１５１ａ）は必ずしも設けなくてもよい。
【符号の説明】
【００７２】
１      振動運動器具
１０    ベース部
２０    脚部
２１ａ  外周壁（外周部）
２２    防振部材
３０    振動台
４０    把持部材
４１    係止部
４２    ロープ
４３    把持部
５０，１５０    アーム部材
１５０Ａ  第１アーム部材
１５０Ｂ  第２アーム部材
５３ａ，１５３ａ  屈曲部
５４，１５４    長孔（係止孔）
２１９  緩衝部材
２３０  第１当接部（位置決め手段）
２３１  第２当接部（位置決め手段）
Ｈ      使用者
【要約】
【課題】より多彩なポージングやエクササイズを実現できる振動運動器具を提供する。
【解決手段】ベース部１０と、ベース部１０の外縁部に設けられた脚部２０と、ベース部１０に対して振動可能に設けられ使用者Ｈが搭乗可能な振動台３０と、振動台３０に搭乗した使用者Ｈが把持可能な把持部材４０を接続可能なアーム部材５０と、を備えている。脚部２０には、アーム部材５０が出没自在に設けられている。アーム部材５０には、把持部材４０の端部が係止される係止孔５４が設けられている構成とした。
【選択図】図３【図１】
0006801903.tif 000002
【図２】
0006801903.tif 000003
【図３】
0006801903.tif 000004
【図４】
0006801903.tif 000005
【図５】
0006801903.tif 000006
【図６】
0006801903.tif 000007
【図７】
0006801903.tif 000008
【図８】
0006801903.tif 000009
【図９】
0006801903.tif 000010
【図１０】
0006801903.tif 000011
【図１１】
0006801903.tif 000012
【図１２】
0006801903.tif 000013
【図１３】
0006801903.tif 000014